(57)【要約】【課題】  クロスを貼着した間仕切り用のパネルであって、該クロスに形成している模様や図形を特定したクロス貼りパネルの提供。【解決手段】  パネル５の上端に笠木６を取付け、該笠木６によって被覆されて表面化しないようにクロス３の品番を付し、交換する際には該品番にて模様や図形が特定できる。【選択図】    図２
0003136003.tif 000002
【実用新案登録請求の範囲】
【請求項１】
クロスを貼着した間仕切り用のパネルにおいて、該パネルの上端に笠木を取付け、該笠木によって被覆されて表面化しないようにクロスの品番を付したことを特徴とするクロス貼り間仕切り用パネル。
【請求項２】
クロスを貼着した間仕切り用のパネルにおいて、該パネルの側端にカバー付きスタッドを取付け、該カバーによって被覆されて表面化しないようにクロスの品番を付したことを特徴とするクロス貼り間仕切り用パネル。
【考案の詳細な説明】
【技術分野】
【０００１】
本考案は表面に模様や図形を形成したクロスを貼着した間仕切り用のパネルに関するものである。
【背景技術】
【０００２】
間仕切り装置とは建物の大きな空間を所定の部屋に仕切るもので、近年では各種の間仕切り装置が用いられている。すなわち、建物本体は大きな空間として建設し、その後の内装工事にて適当な大きさの部屋に仕切ることが出来る為に、便利である。又、間仕切り装置にて仕切られた部屋の内部に、さらに打ち合わせ室や更衣室などの空間を仕切る為のローパーティションを据え付ける場合も多い。
【０００３】
ところで、間仕切りパネルには、(ａ)表面に金属製の表面板を貼着したもの、(ｂ)ケイ酸カルシウム板を貼り付けたもの、(ｃ)シートやフイルムを貼着したもの、(ｄ)表面にクロスを貼り合わせたものが存在している。これらの間仕切りパネルは用途によって使い分けされているが、本発明が対象とするのはクロス貼りパネルである。
【０００４】
クロスを表面に貼り合わせたクロス貼りパネルは、表面がクロスであることで仕切られた空間の温かみを感じる。そして、クロスに色々な模様や図形などを形成することが出来るが、転写シートを用いてクロス面に転写する場合と各種プリンターを用いてクロス面に直接プリントする場合がある。しかし、プリンターにてクロス面に直接プリントする場合には、擦れても脱色しないように昇華性インク(染料)が使用されるが、該昇華性インクは発色装置(熱処理装置)で発色させても発色が安定せず、プリントされた模様や図形の品質にバラ付きが発生する。
【０００５】
その為に、クロス面に形成される模様や図形などの色彩を安定させる為に、一般的には転写技術が採用されている。この転写とは特別に製作した転写シートに模様や図形などをプリントし、この転写シートをクロス面に重ね合わせた状態で押圧すると共に加熱することで転写シートの模様や図形などがクロス面に転写される。この技術はＴシャツなどの衣類に模様や図形を形成する場合に多用されている技術である。
【０００６】
勿論、本考案ではクロス面に形成される模様や図形のプリント及び転写の方法を限定するものではない。又、何れの方法であっても構わないが、多種・多様の模様や図形で形成されるクロス貼りパネルを管理することは容易でない。例えば、クロス貼りパネルがキズ付いたり、又は変色したり、退色した場合には新しいパネルに交換することが必要になるが、この場合に貼着されているクロスを特定することは容易でない。
【０００７】
図４は従来から使用しているクロス柄の見本である。Ａ４番の大きさのクロス生地には縦横に仕切られた１２区画には色々な模様及び図形を形成した見本と成っている。そして、各区画の下側にはＣＳ１１０５、ＣＳ１２０５，ＣＳ１３０５，ＣＳ１１０６・・・のように整理番号(品番)が付されている。
【０００８】
そこで、交換する際には貼着されているクロスの模様及び図形を観て、上記図４の見本の柄と比較しなくてはならない。しかし、現実にはクロス貼りパネルが間仕切りとして据付けられている顧客側に柄見本はない為に、直ぐに比較することは出来ず、又、変色や退色したクロスの模様や図形を観て柄見本の模様や図形と対比することは容易でない。
【０００９】
特開平９−２３５８２０号に係る「クロス貼りパネル構造」は、出願人が以前に行った特許出願であり、これはクロスを貼着したパネルであって、このクロスの貼り付けが簡単に出来るとともに、一旦貼り付けたクロスが緩むことのないクロス貼りパネル構造である。
そこで、パネル枠体には嵌合凸片を有し、そして、一部を切り欠きして間口を形成して嵌合凸片に嵌合するジョイント材を有し、クロスの縁を嵌合凸片とジョイント材に挟み込んで止着している。
【００１０】
上記クロス貼りパネル構造を採用することで、汚れたクロス及び退色したクロスを簡単に交換することが出来るが、該クロスの品番が定まらない限り交換は出来ない。
【特許文献１】特開平９−２３５８２０号に係る「クロス貼りパネル構造」
【考案の開示】
【考案が解決しようとする課題】
【００１１】
このように、従来のクロス貼りパネルには上記のごとき問題がある。本考案が解決しようとする課題はこの問題点であり、貼着してあるクロスの品番が即座に分かり、間違えることなくクロスの交換、又はパネルの交換を行うことが出来るクロス貼り間仕切り用パネルを提供する。
【課題を解決するための手段】
【００１２】
本考案に係るクロス貼り間仕切り用パネルは、表面にクロスを貼着してあるパネルであり、該クロスは両面に貼着されている。そして、該クロスの片隅には品番が付されていて、クロス面に形成される模様及び図形によって該品番は違っている。すなわち、それぞれの模様や図形を区別する為に、品番を付している。
【００１３】
しかし該品番はクロスを貼着したパネル面には表面化しないように、パネル表面材の裏側面に位置するように貼り合わされる。例えば、笠木を取外すことで該品番を見ることが出来、又は先端スタッドを取外すことで見えるような位置に形成される。ここで、品番の形態は自由であり、単なる連続番号としたり、アルファベットを組み合わせた記号とすることも出来る。
【考案の効果】
【００１４】
本考案のクロス貼りパネルには品番が付されていることで、従来のように見本と対比する必要はなく、直ちに分かる。従って、クロスに付されている品番を観ることで模様や図形の形態を特定することが出来、見本を観て見比べする必要性はなくなり、見間違いは防止される。そして、該品番はパネルとして貼着されている状態では、表面に露出することはなく、笠木や先端スタッドにて被覆される為に間仕切り装置としての外観が損なわれることはない。
【実施例】
【００１５】
図１は本考案に係るクロス貼りパネルを示す実施例であり、正面図（ｂ）、横断面図（ａ）、縦断面図(ｃ)を表している。該クロス貼りパネルはローパーティション用のパネルであり、上下及び両側に設けた概略コ形断面の補強材１，１・・にて長方形の枠体を構成し、この枠体の両面側に表面材２，２が取付けられ、表面材２，２の間にはペーパーコア４が充填されている。そして、該表面材２，２には点線で示しているクロス３，３が貼着されている。
【００１６】
同図に示すクロス３は接着剤を介して表面材２に接着されているが、前記特開平９−２３５８２０号に係る「クロス貼りパネル構造」を採用することも出来る。そして、該クロス面には模様や図形が形成され、この模様や図形を特定する為にクロス３の片隅には品番が設けられている。すなわち、多数の模様や図形ごとに品番が定まり、該品番ごとの模様や図形はコンピュータに保管されている。
【００１７】
ところで、この品番が付されたクロス３がパネルの表面に貼着されることになるが、該品番は表面化しないように笠木又は先端スタッドにて被覆される。例えば、笠木にて品番を被覆する場合であれば、図１（ｃ）に示すＡの位置に品番を付すことが出来る。又、先端スタッドにて品番を被覆する場合であれば、図１（ａ）に示すようにＢの位置に品番を付すことが出来る。
【００１８】
図２は上記パネル５を据付して、その上端に笠木６を取付けた場合の縦断面図である。パネル上端の開口７に嵌って笠木受け具８が取付けられ、該笠木受け具８に笠木６を取付けている。笠木受け具８，８・・はパネル上端開口７の所々に取付けられ、これら複数の笠木受け具８，８・・を介して笠木６が同図に示すように取付けられる。このパネル５はペーパーコア４を芯材としてその両面に金属製の表面材２，２を貼着し、該ペーパーコア４の上端に配置した概略コ形断面の補強材１まで延び、該補強材１の上端にてＬ形に屈曲して下方へ延びている。そして該表面材２，２の上には点線で示しているクロス３，３が貼り合わされている。
【００１９】
補強材１の底面と表面材２，２をＬ形に屈曲して下方へ延びた先端９，９との間に基台１０が挟まれ、先端９，９は上基板１１ａ，１１ｂに当接している。従って、笠木受け具８が上昇することはなく、又基台１０の両端は開口７の内面(補強材１の側板)に近接又は接していることで横ズレすることもない。そして、上基板１１ａ，１１ｂの上面に形成した凸部１２ａ，１２ｂはＬ形に屈曲して下方へ延びた先端９，９に係止している。
【００２０】
ところで、基台１０を開口７に嵌めると共に、右方向(時計方向)に９０°回転することで、笠木受け具８は正しく位置決めされて取付けられる。この場合、下基板５の下面には複数の凸部１３，１３・・を形成していることで、開口７の底面との間に大きな摩擦を生じることなく容易に回転できる。
【００２１】
このように、開口７に嵌って取付けられた笠木受け具８の両アーム１４ａ，１４ｂの先端に形成した係合凸部１５ａ，１５ｂには、笠木６の脚１６ａ，１６ｂが係合して取付けられる。このように、笠木６をパネル５の上端に取付けることでＡの位置に形成した品番は該笠木６にて被覆されて、外から見えることはない。従って、表面に貼着しているクロス３，３の模様や図形の品番を知る場合には該笠木６を取外して簡単に見ることが出来る。
【００２２】
ここで、図２に示した笠木６の取付け構造はあくまでも１具体例に過ぎず、これに限定するものではない。そして、笠木６の形態は自由であり、パネル５の上端を被覆する為に取付けるものであれはよい。本考案では外観を損なわない箇所に品番を形成し、パネル５の交換又はクロス３の貼り換えを行う際に見ることが出来る構造としている。
【００２３】
図３は本考案の他の実施例であり、パネル側端にスタッド１７を取付け、該スタッド１７にはカバー１８が取付けられている。該スタッド１７はパネル側端の補強材１に固定した引掛けツメ１９，１９に係止して取付けられ、カバー１８はネジ止めされている。ところで、パネル表面に貼着したクロス３に付した品番はＢの位置に設けられ、スタッド１７を取付けることで、カバー１８に被覆されて外からは見えにくい。クロス３は補強材１の内側面まで延びている為に、Ｃの位置に品番を付すことも出来る。
【図面の簡単な説明】
【００２４】
【図１】パネルを表す実施例で、（ａ）は横断面図、（ｂ）は正面図、（ｃ）は縦断面図。
【図２】パネル上端に笠木を取付けた場合。
【図３】パネル側端にスタッドを取付けた場合。
【図４】従来のクロス見本。
【符号の説明】
【００２５】
１  補強材
２  表面材
３  クロス
４  ペーパーコア
５  パネル
６  笠木
７  開口
８  笠木受け具
９  先端
10  基台
11  上基板
12  凸部
13  凸部
14  アーム
15  係合凸部
16  脚
17  スタッド
18  カバー
19  引掛けツメ
【図１】
0003136003.tif 000003
【図２】
0003136003.tif 000004
【図３】
0003136003.tif 000005
【図４】
0003136003.tif 000006